(57)【要約】【課題】前板の寸法や表面意匠などの違いに効率的に対応し得て汎用性を向上させながらも、見栄えを向上させ得る収納装置を提供する。【解決手段】前方に開口する箱体２の開口を覆う上下に複数段の前板５，７，９を設けた収納装置１であって、前記複数段の前板のうちの最下段の前板９は、上端部に収納間口方向の全体に亘って手掛部１１を設けた手掛部材１０と平板状の前板本体２０とに上下に分割され、これら手掛部材及び前板本体のそれぞれに設けられた係合部１７，２３を互いに係合させて接合される構成とされ、かつ閉鎖状態で前方に蹴込空間が形成されるように上段側の前板５，７よりも後方に配される構成とされている。【選択図】図１
2015097640.tif 000002
【特許請求の範囲】
【請求項１】
前方に開口する箱体の開口を覆う上下に複数段の前板を設けた収納装置であって、
前記複数段の前板のうちの最下段の前板は、上端部に収納間口方向の全体に亘って手掛部を設けた手掛部材と平板状の前板本体とに上下に分割され、これら手掛部材及び前板本体のそれぞれに設けられた係合部を互いに係合させて接合される構成とされ、かつ閉鎖状態で前方に蹴込空間が形成されるように上段側の前板よりも後方に配される構成とされていることを特徴とする収納装置。
【請求項２】
請求項１において、
互いに閉鎖状態における前記上段側の前板の前面から前記前板本体の前面までの前後方向に沿う寸法を、前記上段側の前板の下端面から該手掛部材と前記前板本体との前面側における境界までの上下方向に沿う寸法よりも大きくしたことを特徴とする収納装置。
【請求項３】
請求項１または２において、
前記手掛部材は、前記前板本体の前面よりも前方に向けて突出するように前記手掛部を設けた構成とされており、この手掛部の前端面から前記前板本体の前面までの前後方向に沿う寸法を、該手掛部材の上面から該手掛部材と前記前板本体との前面側における境界までの上下方向に沿う寸法よりも大きくしたことを特徴とする収納装置。
【請求項４】
請求項１乃至３のいずれか１項において、
前記手掛部材及び前記前板本体の各係合部は、上下方向に互いに係合する構成とされていることを特徴とする収納装置。
【請求項５】
請求項１乃至４のいずれか１項において、
前記前板本体は、収納間口方向に貫通する中空部を設けた中空構造とされており、
前記手掛部材は、収納間口方向に貫通する中空部を設けた中空構造とされ前記前板本体に連なるように設けられる板状部を備えていることを特徴とする収納装置。
【請求項６】
請求項５において、
前記最下段の前板は、前記前板本体及び前記手掛部材の各中空部に挿入されて接合状態を保持する接合保持部をそれぞれに有しかつ収納間口方向両端部のそれぞれに取り付けられる一対のキャップ部材を更に備えていることを特徴とする収納装置。
【発明の詳細な説明】
【技術分野】
【０００１】
本発明は、前方に開口する箱体の開口を覆う前板を設けた収納装置に関する。
【背景技術】
【０００２】
従来より、前方に開口する箱体の開口を覆う抽斗や開き戸等の前板を設けたキッチンキャビネットや洗面キャビネット等の収納装置が知られている。このような収納装置の前板は、収納装置自体や上下に区画される収納部の上下寸法などに応じた寸法にする必要があり、また、色柄などの表面意匠の選択性も求められるものであった。
例えば、下記特許文献１には、システムキッチンの足元部分に設置される引き出しの前板が開示されている。この前板は、当該前板を構成する前面部材を、上部の前面部材と傷の目立ち難い下端部の前面部材とを接合した構成とされている。
【先行技術文献】
【特許文献】
【０００３】
【特許文献１】特開２００６−２４７０９７号公報
【発明の概要】
【発明が解決しようとする課題】
【０００４】
しかしながら、上記特許文献１に記載された前板では、上下に分割された前面部材の境界が、下端部前面に位置することとなるため、目立ち易くなるという問題があった。
【０００５】
本発明は、上記実情に鑑みてなされたものであり、前板の寸法や表面意匠などの違いに効率的に対応し得て汎用性を向上させながらも、見栄えを向上させ得る収納装置を提供することを目的としている。
【課題を解決するための手段】
【０００６】
上記目的を達成するために、本発明に係る収納装置は、前方に開口する箱体の開口を覆う上下に複数段の前板を設けた収納装置であって、前記複数段の前板のうちの最下段の前板は、上端部に収納間口方向の全体に亘って手掛部を設けた手掛部材と平板状の前板本体とに上下に分割され、これら手掛部材及び前板本体のそれぞれに設けられた係合部を互いに係合させて接合される構成とされ、かつ閉鎖状態で前方に蹴込空間が形成されるように上段側の前板よりも後方に配される構成とされていることを特徴とする。
【０００７】
本発明においては、互いに閉鎖状態における前記上段側の前板の前面から前記前板本体の前面までの前後方向に沿う寸法を、前記上段側の前板の下端面から該手掛部材と前記前板本体との前面側における境界までの上下方向に沿う寸法よりも大きくしてもよい。
また、本発明においては、前記手掛部材を、前記前板本体の前面よりも前方に向けて突出するように前記手掛部を設けた構成とし、この手掛部の前端面から前記前板本体の前面までの前後方向に沿う寸法を、該手掛部材の上面から該手掛部材と前記前板本体との前面側における境界までの上下方向に沿う寸法よりも大きくしてもよい。
また、本発明においては、前記手掛部材及び前記前板本体の各係合部を、上下方向に互いに係合する構成としてもよい。
また、本発明においては、前記前板本体を、収納間口方向に貫通する中空部を設けた中空構造とし、前記手掛部材を、収納間口方向に貫通する中空部を設けた中空構造とし前記前板本体に連なるように設けられる板状部を備えたものとしてもよい。
また、本発明においては、前記最下段の前板を、前記前板本体及び前記手掛部材の各中空部に挿入されて接合状態を保持する接合保持部をそれぞれに有しかつ収納間口方向両端部のそれぞれに取り付けられる一対のキャップ部材を更に備えたものとしてもよい。
【発明の効果】
【０００８】
本発明に係る収納装置は、上述のような構成としたことで、前板の寸法や表面意匠などの違いに効率的に対応し得て汎用性を向上させながらも、見栄えを向上させることができる。
【図面の簡単な説明】
【０００９】
【図１】（ａ）は、本発明の一実施形態に係る収納装置が備える最下段の前板の一例を模式的に示し、一部を省略した図２におけるＸ１−Ｘ１線矢視に対応させた概略分解縦断面図、（ｂ）は、（ａ）に対応させた概略縦断面図である。
【図２】同最下段の前板の一部を省略した一部破断概略分解背面図である。
【図３】（ａ）は、図１（ａ）におけるＹ１部に対応させた一部破断概略分解縦断面図、（ｂ）は、図１（ｂ）におけるＹ２部に対応させた一部破断概略縦断面図、（ｃ）は、図４（ａ）におけるＸ２−Ｘ２線矢視に対応させた概略縦断面図である。
【図４】（ａ）は、同最下段の前板の一部破断概略正面図、（ｂ）は、同最下段の前板の一部破断概略背面図である。
【図５】（ａ）は、同収納装置の一部省略概略側面図、（ｂ）は、同収納装置の一部省略概略斜視図である。
【発明を実施するための形態】
【００１０】
以下に本発明の実施の形態について、図面に基づいて説明する。
図１〜図５は、本実施形態に係る収納装置の一例を模式的に示す図である。
なお、一部の図では、他図に付している詳細な符号の一部を省略している。
また、以下の実施形態では、収納装置の正面（開閉操作の可能な側）に対面した状態を基準として、手前側を前方、その逆側を後方とし、また、その状態を基準として、上下方向及び左右方向等の方向を説明する。
【００１１】
本実施形態に係る収納装置１は、図５に示すように、前方に開口する箱体２の開口を覆う上下に複数段の前板５，７，９を設けた構成とされている。この収納装置１は、厨房（キッチン）等に設置される厨房収納装置や、洗面室等に設置される洗面台収納装置等を構成するものとしてもよい。この場合は、箱体２の上側に配される図示省略の天板に、適宜、シンクや加熱調理器（コンロ）、洗面ボウル等が組み込まれるものとしてもよい。また、収納装置１は、このような水廻り収納装置を構成するものに限られず、種々の収納装置として設置されるものとしてもよい。また、収納装置１は、複数の本実施形態に係る収納装置１，１または本実施形態に係る収納装置１と他の収納装置（キャビネット）とを組み合わせて構成される収納システムに組み込まれるものとしてもよい。
【００１２】
箱体２は、図５に示すように、左右両側の側板３，３と、背板４と、を備え、これらによって前方及び上方に向けて開口した箱型形状とされ、この前方開口が複数段の前板５，７，９によって覆われる構成とされている。また、箱体２の上側には、図示は省略しているが天板が設けられる。この天板は、当該収納装置１が備えたものとしてもよく、または、当該収納装置１を含む複数の収納装置（キャビネット）を組み合わせて収納システムを構成する場合には、収納システムが備えるものとしてもよい。この場合は、横並び状に配される複数の収納装置１の上側に、単一の天板を一連状に設けた構成としてもよい。
【００１３】
また、本実施形態では、図５に示すように、上下に３段の前板５，７，９を設けた構成としており、以下では、最上段の前板５を上段前板５、中段の前板７を中段前板７、最下段の前板９を下段前板９として説明する。
上段前板５は、本実施形態では、その後方側の箱体２の内方空間がシンクや洗面ボウル等の水槽の収容空間とされているため、開閉不能に固定された固定前板とされている（図５（ｂ）参照）。この上段前板５は、その後面の収納間口方向（左右方向）両端部が左右の側板３，３の各前端面に対面するようにアウトセット状に納められる構成とされている。
なお、上段前板５を固定前板とした態様に代えて、下端部等を回動支点として手前側等に開放され、包丁や俎板等を収容する薄型状の開き収納の前板としてもよく、箱体２に対して前後方向に出し入れ自在とされた上段抽斗の前板５としてもよい。この場合には、適宜、上段前板５の上端部等に手掛部等を設けるようにしてもよい。
【００１４】
上段前板５の下段側に配された中段前板７は、本実施形態では、箱体２に対して収納奥行方向（前後方向）に出し入れ自在とされた中段抽斗６の前板部を構成するものとされている。
中段抽斗６は、中段前板７の後面側に、図示は省略しているが底板部や背板部、側板部等を設けた上方開口の箱状とされている。なお、中段抽斗６の左右を区画する側板部は、板状とされたものに限られず、棒状部材や線材等によって構成されたものとしてもよい。
この中段抽斗６は、箱体２の内面を構成する左右の側板３，３の互いに向き合う内側面に設けられたスライドレール等を介して箱体２に対して前後方向に出し入れ自在に支持されている。
【００１５】
中段前板７は、その後面の左右方向両端部が左右の側板３，３の各前端面に対面するようにアウトセット状に納められる構成とされている。
また、この中段前板７は、図５（ａ）に示すように、当該中段前板７が閉鎖状態（中段抽斗６が収容された状態）で、その前面７ａが上段前板５の前面５ａと略同一平面状となるように設けられている。図例では、これら中段前板７及び上段前板５の厚さ寸法を互いに略同寸法とした例を示している。また、図例では、中段前板７の上下寸法を、上段前板５の上下寸法よりも大きい寸法とした例を示している。
また、互いに閉鎖状態で、これら中段前板７の上端面と上段前板５の下端面とは僅かな隙間を隔てて対面するように配される構成とされている。この隙間は、これら上下に隣接する各前板５，７の開閉時に必要となるクリアランス等を考慮して適宜、設定するようにしてもよく、数ｍｍ〜十数ｍｍ程度としてもよい。
【００１６】
なお、中段前板７の上端部等に、適宜、手掛部を設けるようにしてもよい。このような手掛部としては、例えば、前方に開口する縦断面略コ字状（略Ｕ字状または略Ｃ字状）とされた掘り込み状とされたものとしてもよい。また、この手掛部を、左右方向の全体に亘ってライン状に設けられたものとしてもよい。なお、手掛部としては、このような態様に限られず、例えば、中段前板７の前面７ａに付設状に設けられる取手状の手掛部としてもよい。
また、中段前板７は、中段抽斗６の前板部を構成するものに限られず、中段の開き収納部の前方開口を開閉する開き戸を構成するものとしてもよい。
また、下段前板９の上段側に、２段の前板５，７を設けた構成に限られず、１段または３段以上の前板を設けた構成としてもよい。
また、上段前板５及び中段前板７は、木質系材料や金属系材料、合成樹脂系材料等から上記形状に形成されたものとしてもよい。また、射出成形や押出成形されたものとしてもよく、例えば、収納間口方向に沿って押出成形されたものとしてもよい。
【００１７】
中段前板７の下段側に配された下段前板９は、図５に示すように、閉鎖状態で前方に蹴込空間が形成されるように、上段側の前板としての上段前板５及び中段前板７よりも後方に配される構成とされている。本実施形態では、この下段前板９も他の前板５，７と概ね同様、アウトセット状に納められる構成とされており、箱体２の左右の側板３，３の前方下端の角部に、蹴込空間に応じた切欠状の凹所を設けた構成としている。つまり、下段前板９は、その後面の左右方向両端部が左右の側板３，３の前方下端の凹所の各前端面に対面するようにアウトセット状に納められる構成とされている。
上記蹴込空間は、閉鎖状態の下段前板９の前方側の空間とされ、互いに閉鎖状態における上段側の前板５，７の前面５ａ，７ａから下段前板９（前板本体２０）の前面２１までの前後方向に沿う寸法Ｄ１（図１（ｂ）参照）に相当する空間とされている。この蹴込空間は、収納装置１に対面して左右方向に移動しながら作業する使用者の足先を受け入れ可能な空間としてもよく、適宜の大きさとしてもよい。例えば、蹴込空間の前後方向に沿う寸法（Ｄ１）を、３０ｍｍ〜７０ｍｍ程度としてもよく、また、蹴込空間の上下方向に沿う寸法（下段前板９の上下寸法に概ね相当する寸法）を、５０ｍｍ以上としてもよい。
【００１８】
また、本実施形態では、下段前板９を、箱体２に対して前後方向に出し入れ自在とされた下段抽斗８の前板部を構成するものとしている。
下段抽斗８は、中段抽斗６と概ね同様、下段前板９の後面側に、図示は省略しているが底板部や背板部、側板部等を設けた上方開口の箱状とされている。なお、下段抽斗８の左右を区画する側板部は、板状とされたものに限られず、棒状部材や線材等によって構成されたものとしてもよい。
この下段抽斗８は、箱体２の内面を構成する左右の側板３，３の互いに向き合う内側面に設けられたスライドレール等を介して箱体２に対して前後方向に出し入れ自在に支持されている。
【００１９】
また、図例では、この下段前板９の上下寸法を、その直上の中段前板７の上下寸法よりも小さい寸法とし、また、上段前板５の上下寸法と概ね同寸法とした例を示している。
また、この下段前板９は、その上面１２と中段前板７の下端面７ｂとの間に上下方向に沿う僅かな隙間が形成されるように配される構成とされている。また、下段前板９は、その下端面と当該収納装置１が設置される床面等の設置面との間に上下方向に沿う僅かな隙間が形成されるように配される構成とされている。これら隙間は、上記と概ね同様、下段前板９の開閉時に必要となるクリアランス等を考慮して適宜、設定するようにしてもよく、数ｍｍ〜十数ｍｍ程度としてもよい。なお、床面側の隙間は、これよりも大きい隙間としてもよい。
また、本実施形態では、図５（ｂ）に示すように、各前板５，７，９を、左右方向に長尺状とされたものとした例を示している。なお、このような態様に代えて、これら前板５，７，９の全部または一部を、上下方向に長尺とされたものとしてもよい。
また、下段前板９は、下段抽斗８の前板部を構成するものに限られず、下段の開き収納部の前方開口を開閉する開き戸を構成するものとしてもよい。
【００２０】
次に、図１〜図４を参照して、下段前板９の具体的構成の一例について説明する。
下段前板９は、図１及び図２に示すように、上端部に収納間口方向の全体に亘って手掛部１１を設けた手掛部材１０と、平板状の前板本体２０と、に上下に分割された構成とされている。また、下段前板９は、これら手掛部材１０及び前板本体２０のそれぞれに設けられた係合部１７，２３を互いに係合させて接合される構成とされている。本実施形態では、これら手掛部材１０及び前板本体２０の各係合部１７，２３を、上下方向に互いに係合する構成としている。また、これら係合部１７，２３のうちの一方を、係合凸部１７とし、他方を、この係合凸部１７が嵌め入れられる係合凹部２３としている。
また、本実施形態では、下段前板９を、図４及び図５に示すように、これら手掛部材１０及び前板本体２０の収納間口方向両端部のそれぞれに取り付けられる一対のキャップ部材３０，３０を備えた構成としている。
【００２１】
前板本体２０は、図１及び図２に示すように、厚さ方向を前後方向に沿わせた平板状とされており、当該下段前板９の上下方向の大部分を構成する。図例では、前板本体２０の上下寸法を、下段前板９の上下寸法の４／５程度の寸法とした例を示しているが、前板本体２０の上下寸法を、下段前板９の上下寸法の３／５以上の寸法としてもよい。
また、この前板本体２０の厚さ寸法は、上記した上段側の前板５，７の厚さ寸法と略同寸法とされている。
また、この前板本体２０は、縦断面形状（収納間口方向に見た断面形状）が収納間口方向の全体に亘って一様な形状とされている。
【００２２】
また、本実施形態では、図１及び図３（ａ）、（ｂ）に示すように、前板本体２０の上端部に、係合部１７，２３の他方としての係合凹部２３を設けている。この係合凹部２３は、上方に向けて開口し、前板本体２０の収納間口方向の全体に亘って凹溝状に設けられている。
この係合凹部２３は、前後方向（板厚方向）に間隔を空けて設けられた一対の壁状片部２４，２４によって、前後方向に向く両溝内側面を区画した構成とされている。これら一対の壁状片部２４，２４は、厚さ方向を前後方向に沿わせた薄板状とされ、互いに略平行状に設けられている。
【００２３】
また、これら一対の壁状片部２４，２４のうちの前方側の壁状片部２４は、その前面が前板本体２０の他の部位の前面２１と同一平面状となるように設けられている。また、これら一対の壁状片部２４，２４のうちの後方側の壁状片部２４は、その後面が前板本体２０の他の部位の後面よりも僅かに後方側に位置するように設けられている。
また、これら一対の壁状片部２４，２４は、それぞれの上端面２５，２５が略同一平面状となるように設けられている。これら壁状片部２４，２４の上端面２５，２５が前板本体２０の上端面を構成する。
また、図例では、これら一対の壁状片部２４，２４の互いに対向する内側面の上端側部位を、上方に向かうに従い拡開状のテーパー形状としている。このような構成とすれば、係合凹部２３に、手掛部材１０の係合凸部１７をスムーズに嵌め入れることができる。
【００２４】
また、本実施形態では、係合凹部２３の溝底側を区画する底部に、手掛部材１０の係合凸部１７に設けられた被係止部１８を係止する係止部２６を設けている。本実施形態では、係止部２６を、前後方向（板厚方向）に間隔を空けて設けられ、底部から上方に向けて突出する一対の係止爪片部２６，２６としている。また、これら一対の係止爪片部２６，２６は、それぞれが隣接する側の壁状片部２４，２４との間に、前後方向（板厚方向）に間隔を空けて設けられている。
これら一対の係止爪片部２６，２６の上下寸法は、互いに略同寸法とされ、一対の壁状片部２４，２４の上下寸法よりも小さい寸法とされている。つまり、これら一対の係止爪片部２６，２６は、係合凹部２３内に設けられている。
また、これら一対の係止爪片部２６，２６は、厚さ方向を前後方向に沿わせた薄板状とされ、収納間口方向の全体に亘って互いに略平行状に設けられている。また、これら一対の係止爪片部２６，２６は、それぞれの上端部の反対向側部位に係止爪を設けた構成とされている。
【００２５】
また、本実施形態では、前板本体２０を、収納間口方向に貫通する中空部２２を設けた中空構造としている。また、本実施形態では、前板本体２０に、複数（図例では、２つ）の中空部２２，２２を上下に設けた構成としている。
これら中空部２２，２２は、これらの周囲を区画し、前板本体２０の外郭形状を構成する壁部の厚さが概ね一様な厚さで比較的に薄い厚さとなるように形成されている。また、図例では、これら中空部２２，２２の周囲を区画する壁部の厚さ寸法を、上記した一対の壁状片部２４，２４の厚さ寸法よりも小さい寸法とした例を示している。
【００２６】
手掛部材１０は、図１及び図２に示すように、縦断面形状（収納間口方向に見た断面形状）が収納間口方向の全体に亘って一様な形状とされている。
また、本実施形態では、手掛部材１０を、前板本体２０の前面２１よりも前方に向けて突出するように手掛部１１を設けた構成としている。
この手掛部１１は、上下方向に厚さ方向を沿わせた薄板状とされ、その前端部に下方に向けて垂れ下がるように、手掛かりとなる前端片部を設けた構成とされている。この手掛部１１の前端面１３から前板本体２０の前面２１までの前後方向に沿う寸法Ｄ２、つまりは、手掛部１１の前方への突出寸法Ｄ２は、上記した蹴込空間の前後寸法Ｄ１に応じて、また、手掛け性や見栄え上の観点から適宜、設定するようにしてもよい。本実施形態では、手掛部１１の前端面１３を、互いに閉鎖状態で、中段前板７の前面７ａよりも前方へ突出しないように設けている。つまり、手掛部１１の前方への突出寸法Ｄ２を、蹴込空間の前後寸法Ｄ１と略同寸法または蹴込空間の前後寸法Ｄ１よりも小さい寸法としている。図例では、手掛部１１の前端面１３を、互いに閉鎖状態で、中段前板７の前面７ａよりも僅かに後方に位置する構成とした例を示している。なお、このような態様に代えて、手掛部１１の前端面１３を、互いに閉鎖状態で、中段前板７の前面７ａと略同一平面状となるように設けるようにしてもよい。
【００２７】
また、本実施形態では、手掛部材１０を、前板本体２０に連なるように設けられる板状部１４を備えた構成としている。手掛部１１は、この板状部１４の上端から前方に向けて突出するように設けられており、これらの上面１２は同一平面状とされている。
この板状部１４は、その厚さ寸法が前板本体２０の厚さ寸法と略同寸法とされている。また、板状部１４の前面１５は、互いに接合された状態で、前板本体２０の前面２１と略同一平面状とされる。この板状部１４の前面１５は、前板本体２０の前面２１とともに下段前板９の前面を構成する。
また、本実施形態では、板状部１４を、収納間口方向に貫通する中空部１６を設けた中空構造としている。本実施形態では、板状部１４に、単一の中空部１６を設けた構成としている。この中空部１６は、この周囲を区画し、板状部１４の外郭形状を構成する壁部の厚さが概ね一様な厚さで比較的に薄い厚さとなるように形成されている。図例では、板状部１４の前後両側及び下端側の外郭形状を構成する壁部の厚さを、前板本体２０の外郭形状を構成する壁部の厚さと略同寸法とした例を示している。また、図例では、板状部１４の前後両側及び下端側の外郭形状を構成する壁部の厚さを、手掛部１１及び板状部１４の上端側の外郭形状を構成する壁部の厚さよりも小さい寸法とした例を示している。
なお、図例では、板状部１４の上下寸法を、板状部１４の前後方向に沿う厚さ寸法よりも大きくした例を示しているが、板状部１４の厚さ寸法よりも小さい寸法としてもよい。
【００２８】
また、本実施形態では、図１及び図３（ａ）、（ｂ）に示すように、手掛部材１０の板状部１４の下端部に、係合部１７，２３の一方としての係合凸部１７を設けている。この係合凸部１７は、下方に向けて突出し、手掛部材１０の収納間口方向の全体に亘って凸条状に設けられている。この係合凸部１７の下方側への突出寸法は、前板本体２０の係合凹部２３の深さ寸法と略同寸法とされている。つまり、係合凸部１７を係合凹部２３に嵌め入れた状態では、係合凸部１７の先端が係合凹部２３の底部に当接または近接対面される構成とされている。
また、この係合凸部１７は、当該係合凸部１７の前後両側に、前板本体２０の一対の壁状片部２４，２４の厚さに応じた受け入れ凹所が形成されるように板状部１４の下端部に設けられている。つまり、板状部１４の下端の前後両側に、前板本体２０の一対の壁状片部２４，２４の上端面２５，２５に当接または近接対面される下方側に向く段壁部１９，１９を設けた構成とされている。手掛部材１０の前面側の段壁部１９及び前板本体２０の前面側の壁状片部２４の上端面２５が、手掛部材１０と前板本体２０との前面側における境界（継目）を構成する。
【００２９】
また、本実施形態では、係合凸部１７を、前後方向（板厚方向）に間隔を空けて設けられ、板状部１４の下端部から下方に向けて突出する一対の係合突片１７，１７としている。
これら一対の係合突片１７，１７は、厚さ方向を前後方向に沿わせた薄板状とされ、収納間口方向の全体に亘って互いに略平行状に設けられている。また、これら一対の係合突片１７，１７は、それぞれの反対向側面（前後方向外方側に向く面）が、前板本体２０の一対の壁状片部２４，２４の互いに対向する内側面のそれぞれに沿うように当接される構成とされている。
また、これら一対の係合突片１７，１７の下端部には、前板本体２０の係合凹部２３に設けられた一対の係止爪片部２６，２６にそれぞれ係止される被係止部１８，１８が設けられている。これら一対の係合突片１７，１７の被係止部１８，１８は、手掛部材１０の収納間口方向の全体に亘って設けられている。また、これら被係止部１８，１８は、前板本体２０の一対の係止爪片部２６，２６と、これらのそれぞれが隣接する側の壁状片部２４，２４と、の間に、嵌め入れられるように挿入され、係止される構成とされている。図例では、一対の係合突片１７，１７の下端部の被係止部１８，１８を、互いに近接する側に向けて突出するような被係止凸条とした例を示している。
【００３０】
上記構成とされた手掛部材１０と前板本体２０とは、図１及び図２に示すように、互いの係合部１７，２３を上下に係合させて上下に接続される。
また、本実施形態では、図１（ｂ）に示すように、互いに閉鎖状態における上段側に隣接する中段前板７の前面７ａから下段前板９（前板本体２０）の前面２１までの前後方向に沿う寸法Ｄ１を、上段側に隣接する中段前板７の下端面７ｂから手掛部材１０と前板本体２０との前面側における境界１９，２５までの上下方向に沿う寸法Ｈ１よりも大きくしている。つまり、中段前板７及び下段前板９が互いに閉鎖された状態で、前方側から斜め下向き４５度の俯角でこれらの前面７ａ，２１を見た際に、手掛部材１０と前板本体２０との前面側における境界１９，２５が中段前板７によって遮蔽される構成としている。
【００３１】
また、本実施形態では、図１（ｂ）に示すように、手掛部材１０の手掛部１１の前端面１３から下段前板９（前板本体２０）の前面２１までの前後方向に沿う寸法Ｄ２を、手掛部材１０の上面１２から手掛部材１０と前板本体２０との前面側における境界１９，２５までの上下方向に沿う寸法Ｈ２よりも大きくしている。つまり、前方側から斜め下向き４５度の俯角で当該下段前板９の前面２１を見た際に、手掛部材１０と前板本体２０との前面側における境界１９，２５が手掛部１１によって遮蔽される構成としている。
【００３２】
なお、上記構成とされた手掛部材１０及び前板本体２０は、アルミニウム等の金属系材料や、硬質の合成樹脂系材料等から上記形状にそれぞれ一体的に形成されたものとしてもよい。また、手掛部材１０及び前板本体２０は、射出成形や押出成形されたものとしてもよく、例えば、収納間口方向に沿って押出成形されたものとしてもよい。このような成形態様とすれば、収納間口方向に見た断面形状がそれぞれに収納間口方向の全体に亘って一様な形状とされた手掛部材１０及び前板本体２０を、効率的に製造することができる。なお、このような態様に代えて、適宜、曲げ加工や切削、打ち抜き、鋳造成形等によって形成されたものとしてもよく、別部材とされた各片部を適宜、溶接等によって接合して形成されたものとしてもよい。
【００３３】
また、手掛部材１０及び前板本体２０の少なくとも閉鎖状態で前面側に露出する表面に、適宜、化粧シートの貼着や塗装等によって表面化粧処理を施すようにしてもよい。この場合、手掛部材１０と前板本体２０とを、互いに同色同柄状としてもよい。または、手掛部材１０と前板本体２０とを、互いに異なる色柄等としてもよい。この場合は、例えば、手掛部材１０を、金属調（メタリック調）の色柄とし（この場合は、表面化粧処理を施さない態様としてもよい。）、前板本体２０を、木目模様等の色柄としてもよい。その他、種々の色柄等を採用するようにしてもよい。
【００３４】
一対のキャップ部材３０，３０は、上記構成とされた接合状態の手掛部材１０及び前板本体２０の収納間口方向両端面のそれぞれを覆う構成とされている。
これら一対のキャップ部材３０，３０は、概ね同様の構成とされており、互いに左右反転させたような形状とされている。
また、本実施形態では、図３（ｃ）及び図４に示すように、一対のキャップ部材３０，３０の収納間口方向に見た外郭形状を、接合状態の手掛部材１０及び前板本体２０の収納間口方向に見た外郭形状よりも僅かに大きい形状としている。また、一対のキャップ部材３０，３０に、接合状態の手掛部材１０及び前板本体２０の収納間口方向両端部の周縁部を全周に亘ってそれぞれに覆う周縁覆い部３１，３１を設けた構成としている。このような構成とすれば、接合された手掛部材１０及び前板本体２０の収納間口方向両端部を、見栄え良く覆うことができる。また、これら手掛部材１０及び前板本体２０が金属系材料等から形成され、収納間口方向の寸法が切断等によって調整されたものである場合には、これらの切断端面及び周縁部（エッジ）をキャップ部材３０，３０の周縁覆い部３１，３１によって覆うことができる。
【００３５】
また、本実施形態では、図３（ｃ）及び図４に示すように、これら一対のキャップ部材３０，３０に、接合状態の手掛部材１０及び前板本体２０の各中空部１６，２２に挿入されて接合状態を保持する接合保持部３２，３３をそれぞれに設けている。
これら接合保持部３２，３３は、互いの係合部１７，２３が係合されて接合された手掛部材１０と前板本体２０との係合解除を抑止する構成とされ、これらの係合態様に応じた構成とされている。本実施形態では、手掛部材１０及び前板本体２０の係合部１７，２３を上下方向に互いに係合する構成とし、接合保持部３２，３３を、これらの係合解除を抑止するように手掛部材１０と前板本体２０との上下方向への離反を抑止する構成としている。このような接合保持部３２，３３としては、手掛部材１０の中空部１６内の少なくとも上向きの内面に当接される手掛側接合保持部３２と、前板本体２０の中空部２２内の少なくとも下向きの内面に当接される本体側接合保持部３３と、を有した構成等としてもよい。
【００３６】
本実施形態では、各キャップ部材３０，３０に、手掛部材１０の中空部１６に挿入される手掛側接合保持部３２と、前板本体２０の各中空部２２，２２にそれぞれ挿入される本体側接合保持部３３，３３と、を設けている。これら接合保持部３２，３３，３３は、それぞれの外郭形状が各中空部１６，２２，２２の内周形状に応じた形状とされている。図例では、これら各接合保持部３２，３３，３３を、それぞれの外周面が各中空部１６，２２，２２の内周面に概ね全周に亘って当接または近接対面する形状としている。
なお、これら接合保持部３２，３３，３３は、上記した態様に限られず、手掛部材１０及び前板本体２０の各中空部１６，２２の形状や各係合部１７，２３の係合態様等に応じて、適宜、変形可能である。また、これら接合保持部３２，３３，３３の収納間口方向に沿う寸法（各キャップ部材３０，３０の本体部となる端面カバー部から収納間口方向内方側への突出寸法）は、手掛部材１０と前板本体２０との接合状態を保持する観点等から適宜、設定するようにしてもよい。また、例えば、当該収納装置１の収納間口寸法が複数種に定格化されているような場合には、最小幅の下段前板９の手掛部材１０及び前板本体２０の各中空部１６，２２に挿入可能な寸法等としてもよい。
【００３７】
また、本実施形態では、図３（ｃ）に示すように、各キャップ部材３０，３０に、手掛部材１０と前板本体２０とが接合された状態で手掛部材１０の一対の係合突片１７，１７間に挿入される係合挿入部３４を設けている。また、この係合挿入部３４に、手掛部材１０の一対の係合突片１７，１７の被係止部１８，１８と前板本体２０の係合凹部２３の係止部２６，２６との係止状態を保持する係止保持部３５を設けている。このような構成とすれば、手掛部材１０と前板本体２０との接合状態をより強固に保持することができる。
【００３８】
係合挿入部３４は、互いに係合状態における一対の係合突片１７，１７の対向内側面、これらの基端部間の下向きの面（板状部１４の下端面）及び係合凹部２３の一対の係止爪片部２６，２６の先端面（上端面）に当接または近接対面するようブロック状とされている。
また、係止保持部３５は、係合挿入部３４の下端側に連なるように設けられ、係合凹部２３の一対の係止爪片部２６，２６間に挿入される構成とされている。この係止保持部３５は、一対の係止爪片部２６，２６の対向内側面に当接または近接対面する形状とされ、これら一対の係止爪片部２６，２６の互いに近接する側への変形を抑止し、係止状態を保持する構成とされている。
【００３９】
なお、係合挿入部３４及び係止保持部３５は、上記した態様に限られず、手掛部材１０及び前板本体２０の各係合部１７，２３の形状や係止態様等に応じて、適宜、変形可能である。また、これらの収納間口方向に沿う寸法は、上記した接合保持部３２，３３，３３と概ね同様の観点から適宜、設定するようにしてもよい。また、これら係合挿入部３４及び係止保持部３５のうちの一方のみを設けた構成としてもよい。また、例えば、係合挿入部３４を、一対の係合突片１７，１７間に圧入されるものとし、これにより、一対の係合突片１７，１７と係合凹部２３との係合状態を保持可能としたような構成等としてもよい。
【００４０】
また、本実施形態では、図４（ｃ）に示すように、各キャップ部材３０，３０に、下段抽斗８の側板部を連結するための固定具が挿入され、この固定具を保持する固定保持凹部３６，３６を設けている。これら固定保持凹部３６，３６は、各キャップ部材３０，３０の接合保持部（図例では、本体側接合保持部）３３，３３の後面において開口するように設けられている。また、本実施形態では、各キャップ部材３０，３０に、上下方向に間隔を空けて複数箇所（図例では、４箇所）に固定保持凹部３６，３６を設けた構成としている。また、前板本体２０の後面部には、これら固定保持凹部３６，３６に板厚方向で一致する位置となるように、貫通孔２７，２７が設けられている（図２も参照）。
【００４１】
上記のような固定保持凹部３６，３６を設けた構成とすれば、下段前板９（前板本体２０）を中空構造として軽量化等を図りながらも、側板部を連結するための固定具を比較的に強固に保持することができる。
なお、固定保持凹部３６，３６は、下段前板９を、開き戸とした場合には、蝶番等の回動連結部材の固定座を保持するものとしてもよい。この場合は、一方のキャップ部材３０のみに固定保持凹部３６を設けた構成等としてもよい。
また、キャップ部材３０，３０は、合成樹脂系材料や金属系材料等から上記形状に一体的に形成されたものとしてもよい。
【００４２】
また、上記構成とされた下段前板９は、手掛部材１０及び前板本体２０の各係合部１７，２３を互いに係合させ、収納間口方向両側にキャップ部材３０，３０を取り付けることで組み付けるようにしてもよい。また、手掛部材１０と前板本体２０とを、ねじ等の止具や接着剤を併用して接合するようにしてもよい。この場合、例えば、前板本体２０の後面側の壁状片部２４及び手掛部材１０の後面側の係合突片１７に、後面側から止具を止着するような態様等としてもよい。また、キャップ部材３０，３０を、適宜、接着剤等によって手掛部材１０及び前板本体２０に取り付けるようにしてもよい。
【００４３】
本実施形態に係る収納装置１は、上述のような構成としたことで、前板９の寸法や表面意匠などの違いに効率的に対応し得て汎用性を向上させながらも、見栄えを向上させることができる。
つまり、複数段の前板５，７，９のうちの最下段の前板９を、上端部に収納間口方向の全体に亘って手掛部１１を設けた手掛部材１０と平板状の前板本体２０とに上下に分割されたものとしている。従って、例えば、上端側の手掛部材１０を共通部品とし、前板本体２０の上下寸法や色柄等を異ならせたり、前板本体２０を共通部品とし、上端側の手掛部材１０の形状等を異ならせたりすることができ、寸法や表面意匠などの違いに効率的に対応し得て汎用性を向上させることができる。また、このように手掛部材１０と前板本体２０とを上下に分割した構成とすることで、押出成形等によって成形する場合には、金型（ダイス）を小型化することができ、生産性を向上させることができる。また、このように押出成形されたものとすれば、最下段の前板９の収納間口寸法の違いにも容易に対応することができる。
【００４４】
また、前板本体２０の上端部に手掛部材１０を上下に分割して設けた構成としているので、手掛部材１０と前板本体２０との色柄等を異ならせた場合には、これらの前面側の境界１９，２５が目立ち難くなり、見栄えを向上させることができる。
また、これら手掛部材１０及び前板本体２０のそれぞれに係合部１７，２３を設け、これらの係合部１７，２３を互いに係合させて接合される構成としている。従って、組付性を向上させることができる。
また、最下段の前板９を、閉鎖状態で前方に蹴込空間が形成されるように上段側の前板７よりも後方に配される構成としている。従って、手掛部材１０と前板本体２０との前面側の境界１９，２５が、最下段の前板９自体の上端側部位に位置することも相俟って、起立状態で前方側に位置する使用者の視界に入り難くなり、上記のように分割した構成でありながらも、見栄えをより向上させることができる。
【００４５】
また、本実施形態では、互いに閉鎖状態における上段側の前板７の前面７ａから前板本体２０の前面２１までの前後方向に沿う寸法Ｄ１を、上段側の前板７の下端面７ｂから手掛部材１０と前板本体２０との前面側における境界１９，２５までの上下方向に沿う寸法Ｈ１よりも大きくしている。従って、手掛部材１０と前板本体２０との前面側の境界１９，２５を、起立状態で前方側に位置する使用者の視界により入り難くすることができ、見栄えをより向上させることができる。なお、このような態様代えて、上段側の前板７の前面７ａから前板本体２０の前面までの前後方向に沿う寸法Ｄ１を、上段側の前板７の下端面７ｂから手掛部材１０と前板本体２０との前面側における境界１９，２５までの上下方向に沿う寸法Ｈ１よりも小さくしてもよく、また、これらの寸法を同寸法としてもよい。
【００４６】
また、本実施形態では、手掛部材１０を、前板本体２０の前面２１よりも前方に向けて突出するように手掛部１１を設けた構成としている。従って、閉鎖状態で前方に蹴込空間が形成されるように上段側の前板７よりも後方に配される構成としながらも、手掛操作性を向上させることができる。
また、この手掛部１１の前端面１３から前板本体２０の前面２１までの前後方向に沿う寸法Ｄ２を、手掛部材１０の上面１２から手掛部材１０と前板本体２０との前面側における境界１９，２５までの上下方向に沿う寸法Ｈ２よりも大きくしている。従って、手掛部材１０と前板本体２０との前面側の境界１９，２５を、起立状態で前方側に位置する使用者の視界により入り難くすることができ、見栄えをより向上させることができる。また、最下段の前板９自体の手掛部材１０の手掛部１１によって、手掛部材１０と前板本体２０との前面側の境界１９，２５を視界に入り難くすることができるので、当該最下段の前板９を開放させた状態においても境界１９，２５を視界に入り難くすることができる。なお、このような態様代えて、手掛部１１の前端面１３から前板本体２０の前面２１までの前後方向に沿う寸法Ｄ２を、手掛部材１０の上面１２から手掛部材１０と前板本体２０との前面側における境界１９，２５までの上下方向に沿う寸法Ｈ２よりも小さくしてもよく、また、これらの寸法を同寸法としてもよい。また、例えば、手掛部１１の突出寸法を小さくして掘り込み状とされたものとしてもよい。
【００４７】
また、本実施形態では、手掛部材１０及び前板本体２０の各係合部１７，２３を、上下方向に互いに係合する構成としている。従って、例えば、これらの係合部１７，２３を前後方向（板厚方向）に係合する構成とした場合と比べて、手掛部１１をして概ね前後方向に沿う方向に開閉される際に掛かる荷重に効果的に対抗でき、がたつき等を抑制することができる。また、これらの係合部１７，２３を前後方向に係合する構成とした場合と比べて、互いの係合の過不足等による前面側の境界１９，２５における段差等を生じ難くすることができる。なお、このような態様に代えて、これらの係合部１７，２３を前後方向（板厚方向）に互いに係合する構成としてもよく、また、これらの係合部１７，２３を収納間口方向にスライドさせるように係合する構成としてもよい。これらの場合には、キャップ部材３０，３０の接合保持部３２，３３，３３等を適宜、変形するようにしてもよい。
【００４８】
また、本実施形態では、手掛部材１０に、前板本体２０に連なるように設けられる板状部１４を設けた構成としている。従って、このような板状部１４を設けないものと比べて、前板本体２０の上下寸法を小さくすることができ、押出成形等によって成形する場合には、前板本体２０の金型（ダイス）をより小型化することができ、生産性を向上させることができる。
また、本実施形態では、前板本体２０を、収納間口方向に貫通する中空部２２を設けた中空構造とし、手掛部材１０を、収納間口方向に貫通する中空部１６を設けた中空構造とされ前板本体２０に連なるように設けられる板状部１４を備えたものとしている。従って、最下段の前板９の軽量化を図ることができる。また、押出方向を収納間口方向に沿わせて押出成形等によって容易に成形することができる。
【００４９】
また、本実施形態では、最下段の前板９を、前板本体２０及び手掛部材１０の各中空部１６，２２に挿入されて接合状態を保持する接合保持部３２，３３をそれぞれに有しかつ収納間口方向両端部のそれぞれに取り付けられる一対のキャップ部材３０，３０を備えたものとしている。従って、一対のキャップ部材３０，３０によって手掛部材１０及び前板本体２０の収納間口方向両端側の開口を覆うことができる。また、これら一対のキャップ部材３０，３０によって手掛部材１０と前板本体２０との接合状態を保持させることができ、組付性及び接合強度を向上させることができる。また、手掛部材１０及び前板本体２０の収納間口方向両端側の開口を覆う一対のキャップ部材３０，３０を接合保持部３２，３３として機能させることができ、省部品化を図ることができる。
なお、このような接合保持部３２，３３を、一対のキャップ部材３０，３０に設けないようにしてもよく、さらには、これらキャップ部材３０，３０自体を設けないようにしてもよい。つまりは、最下段の前板９を、手掛部材１０と前板本体２０とを備えた構成としてもよい。また、手掛部材１０の板状部１４及び前板本体２０の両方または一方を、中実構造としてもよい。
【００５０】
また、本実施形態では、手掛部材１０に、前板本体２０に連なるような板状部１４を設けた構成としているが、このような板状部１４を設けないようにしてもよい。
また、本実施形態では、手掛部材１０に、係合凸部１７を設け、前板本体２０に、この係合凸部１７が嵌め入れられる係合凹部２３を設けた構成としているが、これらを逆に設けるようにしてもよい。つまり、前板本体２０に、係合凸部を設け、手掛部材１０に、この係合凸部が嵌め入れられる係合凹部を設けた構成としてもよい。
また、手掛部材１０及び前板本体２０の各係合部１７，２３は、着脱自在に互いに係合する構造とされたものとしてもよい。
【符号の説明】
【００５１】
１        収納装置
２        箱体
５        上段前板（上段側の前板）
５ａ      前面
７        中段前板（上段側の前板）
７ａ      前面
７ｂ      下端面
９        下段前板（最下段の前板）
１０      手掛部材
１１      手掛部
１２      上面
１３      前端面
１４      板状部
１６      中空部
１７      係合突片（係合部）
２０      前板本体
２１      前面
２２      中空部
２３      係合凹部（係合部）
３０      キャップ部材
３２      手掛側接合保持部（接合保持部）
３３      本体側接合保持部（接合保持部）
Ｄ１      上段側の前板の前面から前板本体の前面までの前後方向に沿う寸法
Ｄ２      手掛部の前端面から前板本体の前面までの前後方向に沿う寸法
Ｈ１      上段側の前板の下端面から手掛部材と前板本体との前面側における境界までの上下方向に沿う寸法
Ｈ２      手掛部材の上面から手掛部材と前板本体との前面側における境界までの上下方向に沿う寸法
【図１】
2015097640.tif 000003
【図２】
2015097640.tif 000004
【図３】
2015097640.tif 000005
【図４】
2015097640.tif 000006
【図５】
2015097640.tif 000007